(57)【要約】【課題】眼鏡レンズの光学的特性を容易に対比することができる装置を提供すること。【解決手段】光源に向けて開いた断面コの字型ユニット５の平行をなす２部材の一方に、特性を異にする複数の眼鏡レンズ７を取付ける一方、他方には、特性を検知する幾何学模様１５を画き、眼鏡レンズを通して見た幾何学模様１５の歪みからそれぞれの眼鏡レンズ７の特性を対比できるようにしたもの。【選択図】　　　　図１
2004029541.tif 000002
【特許請求の範囲】
【請求項１】
光源に向けて開いた断面コの字形をなす歪み検知ユニットの、互いに平行に対向し合う２部材のうちの一方の部材に、少なくとも２種の眼鏡レンズを角度変更自在に保持する保持部を設けるとともに、他方の部材に、前記複数の眼鏡レンズの配列ピッチ毎に同じ幾何学模様を画いた歪み検知部を設けたことを特徴とする眼鏡レンズの光学的な歪みの対比装置。
【請求項２】
断面コの字形をなす前記歪み検知ユニットを、対応する前記レンズ保持部と前記歪み検知部毎に他と分離し得るようにしたことを特徴とする請求項１記載の眼鏡レンズの光学的な歪みの対比装置。
【請求項３】
前記一方の部材に、共通の手動操作部材を介して少なくとも２種の眼鏡レンズを縦の軸線廻りに角度変更自在に取付けたことを特徴とする請求項１記載の眼鏡レンズの光学的な歪みの対比装置。
【請求項４】
前記一方の部材に、共通の手動操作部材を介して少なくとも２種の眼鏡レンズを横の軸線廻りに起伏自在に取付けたことを特徴とする眼鏡レンズの光学的な歪みの対比装置。
【請求項５】
前記他方の部材に、前記歪み検知部を前記複数の眼鏡レンズの配列方向に変位自在に取付けたことを特徴とする眼鏡レンズの光学的な歪みの対比装置。
【発明の詳細な説明】
【０００１】
【発明の属する技術分野】
本発明は複数の眼鏡レンズの光学的な歪みを対比する装置に関する。
【０００２】
【従来の技術】
眼鏡レンズの光学的特性を知るための装置として特開平１１−１１９１７２号公報に提示された装置は、眼鏡を掛けて見える画像をパソコン等を用いて表示することによりその状態を疑似的に体験することができるようにしたものであるが、これには、パソコンや画像表示が可能な表示装置といった高度な装置を必要とするほか、同時に他の眼鏡レンズ等を対比することができないといった問題を有している。
【０００３】
【発明が解決しようとする課題】
本発明はこのような問題に鑑みてなされたもので、その目的とするところは、眼鏡レンズが有する光学的な歪みを容易に対比することのできる簡単な装置を提供することにある。
【０００４】
【課題を解決するための手段】
すなわち、本発明はかかる課題を達成するための、眼鏡レンズの光学的な歪みの対比装置として、光源に向けて開いた断面コの字形をなす歪み検知ユニットの、互いに平行に対向し合う２部材のうちの一方の部材に、少なくとも２種の眼鏡レンズを角度変更自在に保持する保持部を設けるとともに、他方の部材には、複数の眼鏡レンズの配列ピッチ毎に同じ幾何学模様を画いた歪み検知部を設けるようにしたものである。
【０００５】
【発明の実施の形態】
そこで以下に本発明の実施例について説明する。
図１乃至図３は本発明の一実施例を示したものである。
【０００６】
図において符号１は、幾つかの特性検知ユニット５を個々に着脱し得るようスライド自在に保持した基台で、この基台１は、ウィンドケース等の上に載置した状態で保持した眼鏡レンズ７を顧客が斜め上方から見ることができるよう、底板２と、底板２の後方に斜めに立ち上げた支持板３とによって構成されている。
【０００７】
一方、基台１上に斜めに載置された特性検知ユニット５は、室内の光源からの光を取入れることができるよう上方に開口した断面コの字型に形成され、１５ｃｍ乃至２０ｃｍの間隔をおいて平行に配設された２枚の板のうちの一方は、眼鏡レンズ７を保持する保持板６をなし、また他方の板は、眼鏡レンズ７の配設ピッチ毎に同じ幾何学模様１５を画いた特性検知板１４として構成されている。
【０００８】
この実施例では３組の特性検知ユニット５を備えたものとして構成され、これらの各レンズ保持板６…には、比較が可能なように、例えば球面設計レンズ７ａ、非球面設計レンズ７ｂ及び両面非球面設計レンズ７ｃという異なる眼鏡レンズがそれぞれ保持枠８を介して角度を変え得るように嵌め込まれている。
【０００９】
図２は眼鏡レンズ７の角度を変える機構について示したもので、３つのレンズ保持板６…には、各レンズ保持部の下方に共通の手動操作杆１０が横向きにスライド自在に挿通されていて、ここに穿設したレンズ配列ピッチ毎の各係合孔１１を保持枠８の軸部の一部に設けた各突起９に係合させることにより手動操作杆１０のスライド操作によって、個々の眼鏡レンズ７を縦軸ＶＬ回りに同時に同じ向きに回動させて、眼鏡を掛けたままで視線を横にずらせた状態を再現することができるように構成されている。
【００１０】
これに対して特性パターンを画いた特性検知板１４には、各眼鏡レンズ７の球面収差が顕出できるよう各眼鏡レンズ７の配設ピッチ毎に等しい幾何学模様１５が画かれ、さらに、その中心の線及び升目には他と区別し得る色が付されて見易く構成されている。
【００１１】
このように構成された装置は店頭のウィンドウ等の上に載置され、眼鏡レンズ７を通した幾何学模様１５が顧客の目に触れるように構成されている。
【００１２】
したがって、これら３種の眼鏡レンズ７を通して適正の距離を隔てた特性検知板１４上の菱形模様（図１）は、球面設計レンズ７ａにおいては、図３（ａ）に示したように、周辺が湾曲した糸巻き型の歪みを有する画像として、かつ鮮明度がやや欠けた画像として捕えられ、また、非球面設計レンズ７ｂでは周辺部の歪みが改善されて、解明度も向上した画像として現れ（図３（ｂ））、さらに、両面非球面設計レンズ７ｃでは、非球面設計レンズ７ｂで取り切れなかった歪みがさらに改善され、解明度も大幅に向上した画像として理解されて（図３（ｃ））、この実施例では、両面非球面設計レンズ７ｃが眼鏡着用者の目により好ましい商品であることを顧客に印象付けられることになる。
【００１３】
さらに、これら３種の眼鏡レンズ７の光学的な特性を詳しく検知する場合には、対象となる特性検知ユニット５を、図１に示したように，基台１からスライド式に外すことにより、幾何学模様１５を眼鏡レンズ７ａの直上部から見ることによって詳しく観察することができる。
【００１４】
またさらに、眼鏡を装着した状態で視線を側方にずらしたような場合の見え方を知りたい場合には、手動検知杆１０を側方にスライドさせ、ここに穿設した各係合孔１１をレンズ保持枠８の軸に設けた突起９に係合させることにより全ての眼鏡レンズ２を等しく偏向させて、眼鏡レンズ７の中心から外れた部分を通して幾何学模様１５の歪みの程度から各眼鏡レンズ７の優劣を判断することができる。
【００１５】
なお、この場合においても、所用の眼鏡レンズ７の固縁部の像の歪みを知りたいときは、この眼鏡レンズ７を他とは独立に手で回動させることによって調べることができる。
【００１６】
図４は本発明の第２の実施例を示したものである。
この図において符号２５で示した特性検知ユニットは、載置台としてのウィンドウの下から光を得るように下方に開いた断面コの字形をなしていて、その平行に対待した一方の板体は、多焦点レンズ系としての従来の外面累進設計レンズ２７ａと内面累進屈折力レンズ２７ｂをそれぞれ水平軸線ＨＬ周りに起伏自在に取付けた眼鏡レンズ保持板２６をなしており、また、これに対する他方の板体は、縦横等しい間隔の升目模様３５を画いた特性検知板３０をなしていて、水平に延びるガイド孔３３を介して支点ピン３４に摺動自在に取付けられている。
【００１７】
この実施例では、眼鏡レンズ２７の中心に記した「十」印Ｏを特性検知板３０の横方向中央に画いた赤線３１に合わせた上、その特性検知板３０を左右に移動させることにより、赤線３１の下方に画いた近距離像を意味する赤の四角い升目３２、３２がどれほど変形するかによって、外面累進設計レンズ２７ａと内面累進屈折力レンズ２７ｂのいずれの多焦点レンズを着用した場合に、階段を上り降りする際の危険性等を知ることができるが、この実施例において、さらにこれら２つの眼鏡レンズ２７を水平軸線周りに回動させることによっても、周線の像の歪みを知ることができる。
【００１８】
また本発明のさらに別の実施例としては、特性検知板を、その背面に設けたモータによって左右に往復動させることにより、多焦点レンズの像の歪みを対比することができるデモンストレーション用の特性検知装置として構成することもできる。
【００１９】
【発明の効果】
以上述べたように本発明によれば、光源に向けてコの字型に開いた特性検知ユニットの、互いに平行に対峙する２部材のうちの一方の部材に、少なくとも２種の特性を異にする眼鏡レンズを保持させる一方、他方の部材には、眼鏡レンズの配列ピッチ毎に同じ幾何学模様を設けるようにしたもので、各眼鏡レンズを通して正面からあるいは斜め方向から見える幾何学模様の歪みからそれぞれの眼鏡レンズの光学的特性を対比することによって新たに購入する眼鏡レンズを選ぶことができ、また、所定の特性検知ユニットを他と分離できるようにすることによって、その眼鏡レンズの特性を独立に詳しく調べることもできる。
【００２０】
またさらに、これらの眼鏡レンズを共通の部材を介して縦軸廻りに角度を変え得るようにすれば、眼鏡を装着した状態で斜めの方向を見た状態を再現することによって、その周縁部の歪みをも他と同時に対比することができ、また、特性検知部材を変位させるようにすれば、その像の歪みから各種の多焦点レンズの特性をも知ることができる。
【図面の簡単な説明】
【図１】本発明の一実施例を示す装置の傾斜図である。
【図２】（ａ）（ｂ）は、同上装置における眼鏡レンズの角度変更機構についての傾斜図と、その要部を拡大して示した傾斜図である。
【図３】（ａ）（ｂ）（ｃ）は、球面設計レンズ、非球面設計レンズ及び両面非球面設計レンズの各対象物イメージについての図である。
【図４】本発明の第２の実施例を示す装置の傾斜図である。
【符号の説明】
１　基台
５、２５　特性検知ユニット
６、２６　レンズ保持板
７、２７　眼鏡レンズ
１０　手動操作杆
１４　特性検知板
１５、３０　幾何学模様
【図１】
2004029541.tif 000003
【図２】
2004029541.tif 000004
【図３】
2004029541.tif 000005
【図４】
2004029541.tif 000006